【手続補正書】
【提出日】平成18年3月16日(2006.3.16)
【手続補正１】
【補正対象書類名】明細書
【補正対象項目名】発明の名称
【補正方法】変更
【補正の内容】
【発明の名称】受信機および番組選択方法
【手続補正２】
【補正対象書類名】明細書
【補正対象項目名】特許請求の範囲
【補正方法】変更
【補正の内容】
【特許請求の範囲】
【請求項１】  複数の実チャネルより所定の実チャネルを選択し、この選択された実チャネルの信号を得る受信手段と、
上記複数の実チャネルの番組情報を得る情報取得手段と、
上記受信手段における上記実チャネルの選択情報および上記情報取得手段で得られる上記番組情報に基づいて、一日を区切った各単位時間毎に受信した番組の情報をユーザプロファイル情報として蓄積したユーザプロファイルを作成するユーザプロファイル作成手段と、
上記ユーザプロファイル作成手段で作成された上記ユーザプロファイルおよび上記番組情報に基づいて、上記複数の実チャネルの番組が選択的に配置された仮想チャネルを作成する仮想チャネル作成手段と
を備えることを特徴とする受信機。
【請求項２】  上記仮想チャネル作成手段で作成された上記仮想チャネルを表示する表示手段をさらに備える
ことを特徴とする請求項１に記載の受信機。
【請求項３】  上記仮想チャネルを作成する時間帯を設定する時間帯設定手段をさらに備える
ことを特徴とする請求項１に記載の受信機。
【請求項４】  上記ユーザプロファイル作成手段は、
上記ユーザプロファイルとして所定期間毎のユーザプロファイルを作成すると共に、一定個数のユーザプロファイルを常に保持している
ことを特徴とする請求項１に記載の受信機。
【請求項５】  上記ユーザプロファイル作成手段は、
上記ユーザプロファイルとして、平日に視聴した番組の視聴履歴から平日用のユーザプロファイルを作成すると共に、休日に視聴した番組の視聴履歴から休日用のユーザプロファイルを作成する
ことを特徴とする請求項１に記載の受信機。
【請求項６】  上記ユーザプロファイル作成手段で作成されるユーザプロファイルは、各単位時間毎に受信した番組の少なくともタイトル、カテゴリーおよびキーワードを蓄積したものである
ことを特徴とする請求項１に記載の受信機。
【請求項７】  上記仮想チャネル作成手段は、所定の単位時間に対応する上記実チャネルの番組を選択する際に、上記所定の単位時間に対応したユーザプロファイル情報の蓄積がないとき、上記所定の単位時間の前後のユーザプロファイル情報を使用する
ことを特徴とする請求項１に記載の受信機。
【請求項８】  優先番組を設定する優先番組設定手段をさらに備え、
上記仮想チャネル作成手段は、所定の単位時間に対応する上記実チャネルの番組を選択する際に、上記優先番組設定手段で設定された上記優先番組を優先して選択する
ことを特徴とする請求項１に記載の受信機。
【請求項９】  上記仮想チャネル作成手段で作成される仮想チャネルは複数である
ことを特徴とする請求項１に記載の受信機。
【請求項１０】  上記仮想チャネル作成手段で作成された上記仮想チャネルを構成する番組を順次受信するように、上記受信手段における上記実チャネルの選択を制御するチャネル制御手段をさらに備える
ことを特徴とする請求項１に記載の受信機。
【請求項１１】  複数の実チャネルより所定の実チャネルを選択し、この選択された実チャネルの信号を得る受信手順と、
上記複数の実チャネルの番組情報を得る情報取得手順と、
上記受信手順における上記実チャネルの選択情報および上記情報取得手順で得られる上記番組情報に基づいて、一日を区切った各単位時間毎に受信した番組の情報をユーザプロファイル情報として蓄積したユーザプロファイルを作成するユーザプロファイル作成手順と、
上記ユーザプロファイル作成手順で作成された上記ユーザプロファイルおよび上記番組情報に基づいて、上記複数の実チャネルの番組が選択的に配置された仮想チャネルを作成する仮想チャネル作成手順とを備える
ことを特徴とする番組選択方法。
【手続補正３】
【補正対象書類名】明細書
【補正対象項目名】０００１
【補正方法】変更
【補正の内容】
【０００１】
【発明の属する技術分野】
この発明は、例えばディジタル放送信号を受信するテレビ受信機等に適用して好適な受信機と番組選択方法に関する。詳しくは、各単位時間毎に受信した番組の情報をユーザプロファイル情報として蓄積したユーザプロファイルに基づいて、複数の実チャネルの番組が選択的に配置された仮想チャネルを作成することによって、ユーザの使い勝手の向上を図るようにした受信機に係るものである。
【手続補正４】
【補正対象書類名】明細書
【補正対象項目名】０００４
【補正方法】変更
【補正の内容】
【０００４】
そこで、この発明では、ユーザが、チャネル切り換え操作を必要とすることなく、視聴パターンに沿った番組を視聴することが可能となる受信機と番組選択方法を提供することを目的とする。
【手続補正５】
【補正対象書類名】明細書
【補正対象項目名】０００５
【補正方法】変更
【補正の内容】
【０００５】
【課題を解決するための手段】
この発明に係る受信機は、複数の実チャネルより所定の実チャネルを選択し、この選択された実チャネルの信号を得る受信手段と、複数の実チャネルの番組情報を得る情報取得手段と、受信手段における実チャネルの選択情報および情報取得手段で得られる番組情報に基づいて、一日を区切った各単位時間毎に受信した番組の情報をユーザプロファイル情報として蓄積したユーザプロファイルを作成するユーザプロファイル作成手段と、このユーザプロファイル作成手段で作成されたユーザプロファイルおよび番組情報に基づいて、複数の実チャネルの番組が選択的に配置された仮想チャネルを作成する仮想チャネル作成手段とを備えるものである。また、番組選択方法は、複数の実チャネルより所定の実チャネルを選択し、この選択された実チャネルの信号を得る受信手順と、複数の実チャネルの番組情報を得る情報取得手順と、受信手順における実チャネルの選択情報および情報取得手順で得られる番組情報に基づいて、一日を区切った各単位時間毎に受信した番組の情報をユーザプロファイル情報として蓄積したユーザプロファイルを作成するユーザプロファイル作成手順と、ユーザプロファイル作成手順で作成されたユーザプロファイルおよび番組情報に基づいて、複数の実チャネルの番組が選択的に配置された仮想チャネルを作成する仮想チャネル作成手順とを備えるものである。
【手続補正６】
【補正対象書類名】明細書
【補正対象項目名】００１２
【補正方法】変更
【補正の内容】
【００１２】
また、テレビ受信機１００は、情報取得手段に相当する番組情報抽出部１０６を有している。番組情報抽出部１０６は、チューナ１０５で得られる放送データＤＢから、上述した複数の実チャネルの番組情報ＩＰＧを抽出する。番組情報ＩＰＧは、例えば電子番組ガイド（ＥＰＧ：Electronic Program Guide）であり、各番組に対応してタイトル、カテゴリー、キーワード、放送開始時刻、放送終了時刻、放送時間等の情報を持っている。この番組情報ＩＰＧはコントローラ１０１に供給され、複数の実チャネルの番組表示の他に、後述するユーザプロファイルの作成や仮想チャネルの作成等にも利用される。
【手続補正７】
【補正対象書類名】図面
【補正対象項目名】図１
【補正方法】変更
【補正の内容】
【図１】
2000341596.tif 000001
【手続補正８】
【補正対象書類名】図面
【補正対象項目名】図９
【補正方法】変更
【補正の内容】
【図９】
2000341596.tif 000002